(57)【要約】【課題】  電気系統の故障が発生しにくく、作業者が簡便に作業することができるコンパクトな液体クロマトグラフ装置を提供する。【解決手段】  第一ユニット２内は、仕切板７と仕切板７背面の断熱材９によって、第一ユニット２内の冷却部５と第一ユニット２後部の非冷却部６に区画されている。仕切板７の前方の冷却部５内には、上部が仕切板７に向けて傾斜した取付けパネル２８が設置されており、取付けパネル２８前面には、送液ポンプ、ブランチブロック１３、二方向バルブ１４、ダンパー１５、ミキサー１６、インジェクションバルブ、および六方向バルブ、が配設されている。送液ポンプ、二方向バルブ１４、ダンパー１５、ミキサー１６、インジェクションバルブ、および六方向バルブを構成する電気関係部品２９は、第一ユニット２後部の非冷却部６に収納されている。【選択図】      図１
2005106813.tif 000002
【特許請求の範囲】
【請求項１】
分離カラム、当該分離カラムへ溶離液を送液する送液ポンプ、前記分離カラムからの溶出成分を検出する検出器、および前記送液ポンプから前記分離カラムを経て前記検出器に至る流路の制御を行う複数のバルブを備える液体クロマトグラフ装置であって、
前記送液ポンプ、前記分離カラム、前記検出器、および前記複数のバルブが、第一ユニット内の冷却部に収納されるとともに、前記送液ポンプ、前記検出器、および前記複数のバルブをそれぞれ構成する機械関係部品と電気関係部品の内、当該電気関係部品が前記第一ユニット内の非冷却部に収納されていることを特徴とする液体クロマトグラフ装置。
【請求項２】
分離カラム、当該分離カラムへ溶離液を送液する送液ポンプ、前記分離カラムからの溶出成分を検出する検出器、および前記送液ポンプから前記分離カラムを経て前記検出器に至る流路の制御を行う複数のバルブを備える液体クロマトグラフ装置であって、
前記送液ポンプ、前記検出器、および前記複数のバルブの夫々の少なくとも一部分、および、前記分離カラムが、第一ユニット内の冷却部に収納されるとともに、前記送液ポンプ、前記検出器、および前記複数のバルブにおける通電を要する部分の少なくとも一部が前記第一ユニット内の非冷却部に収納されていることを特徴とする液体クロマトグラフ装置。
【請求項３】
前記送液ポンプおよび前記複数のバルブが前記第一ユニット内の前記冷却部に設けられた取付けパネル上に配設されていることを特徴とする請求項１または２に記載の液体クロマトグラフ装置。
【請求項４】
前記取付けパネルにおいて、前記送液ポンプおよび前記複数のバルブが配設される領域の少なくとも一部が傾斜していることを特徴とする請求項３に記載の液体クロマトグラフ装置。
【請求項５】
冷風を連通するための開口部を側面に有する前記第一ユニットと、冷風を連通するための開口部を側面に有し、且つ試料を保存するために内部を上下二段に仕切られた第二ユニットと、冷却装置とを備え、前記第一ユニットと前記第二ユニットと前記冷却装置は、お互いに着脱自在であることを特徴とする請求項１乃至４のいずれかに記載の液体クロマトグラフ装置。
【請求項６】
前記冷却装置に設けられた冷風吹出口から吹出した冷風が、前記第二ユニット内から、前記第一ユニット内の前記冷却部を経由して、前記第一ユニットおよび前記第二ユニットに設けられた冷風ダクトを経て、前記冷却装置に設けられた冷風戻り口に戻る冷風経路を有していることを特徴とする請求項５に記載の液体クロマトグラフ装置。
【請求項７】
前記第一ユニットおよび前記第二ユニットに設けられた、冷風を連通するための前記開口部の周囲に、パッキンが設けられていることを特徴とする請求項５または６に記載の液体クロマトグラフ装置。
【請求項８】
前記第一ユニットに設けられた前記冷風ダクト内に、溶離液および／または試料中の溶存ガスを除去するための脱気チャンバを備えることを特徴とする請求項６に記載の液体クロマトグラフ装置。
【請求項９】
前記第二ユニットに設けられた前記冷風ダクト内に、前記第二ユニット内を冷却するためのヒートシンクを備えることを特徴とする請求項６に記載の液体クロマトグラフ装置。
【請求項１０】
前記第一ユニットおよび前記第二ユニットに、それぞれ中空構造の第一扉が設けられていることを特徴とする請求項５乃至９のいずれかに記載の液体クロマトグラフ装置。
【請求項１１】
前記第一ユニットおよび前記第二ユニットに、それぞれ中空構造の第一扉が設けられるとともに、外気が当該第一扉の中空部へ流れ込むのを防止する逆止弁が前記第一扉に備えられていることを特徴とする請求項５乃至９のいずれかに記載の液体クロマトグラフ装置。
【請求項１２】
前記第一扉の中空部を構成する一方の面材上に、当該中空部を補強するためのリブが配設されるとともに、当該リブと他方の面材との間に間隙が設けられていることを特徴とする請求項１０または１１に記載の液体クロマトグラフ装置。
【請求項１３】
前記第一扉の中空部に乾燥剤が封入されていることを特徴とする請求項１０乃至１２のいずれかに記載の液体クロマトグラフ装置。
【請求項１４】
前記第二ユニットに設けられた前記第一扉の内側に、冷気を保持するための第二扉が前記第二ユニット内の上部と下部にそれぞれ設けられていることを特徴とする請求項１０乃至１３のいずれかに記載の液体クロマトグラフ装置。
【発明の詳細な説明】
【技術分野】
【０００１】
本発明は、液体クロマトグラフ装置に関し、特に、液体クロマトグラフ装置の冷却システムに関する。
【背景技術】
【０００２】
生体高分子のような極めて熱に弱く不安定な物質を、液体クロマトグラフ装置を使用して分離精製する場合、従来は、液体クロマトグラフ装置全体を冷蔵室や冷蔵ショーケースなどに入れて作業を行っていた。
特許文献１は、グリコヘモグロビンなどの精密なクロマトグラムを得るために、溶離液供給ユニット、送液ポンプ、インジェクションバルブ、カラム保持部が温風によって温度調整されるという液体クロマトグラフィ装置を開示している。特許文献２は、試料溶解槽および分別カラムを恒温に保つことによって、加温された試料が注入時以降に析出してしまうという問題を解決した。これらの特許文献は、いずれも液体クロマトグラフ装置の一部を温度調整するという技術を開示しているが、生体高分子のような熱に弱く不安定な物質を低温状態で分離精製する場合を想定したものではない。
【特許文献１】特開２００１−７４７２１号公報  （第１図）
【特許文献２】特許第３００８５９５号公報  （第１図）
【発明の開示】
【発明が解決しようとする課題】
【０００３】
液体クロマトグラフ装置全体を冷蔵室などに入れる従来の方法は、システムが大掛かりになるうえ、作業者が冷蔵室等に出入りするため作業性も悪かった。さらに、液体クロマトグラフ装置全体を冷却するため、結露などにより電気系統の故障が発生しやすかった。
本発明は、上述する問題点に鑑みてなされたもので、電気系統の故障が発生しにくく、作業者が簡便に作業することができるコンパクトで、生体高分子のような極めて熱に弱く不安定な物質を分離精製することができる液体クロマトグラフ装置を提供することを目的とする。
【課題を解決するための手段】
【０００４】
上記目的を達成するため、本発明に係る液体クロマトグラフ装置は、分離カラム、当該分離カラムへ溶離液を送液する送液ポンプ、前記分離カラムからの溶出成分を検出する検出器、および前記送液ポンプから前記分離カラムを経て前記検出器に至る流路の制御を行う複数のバルブを備える液体クロマトグラフ装置であって、前記送液ポンプ、前記分離カラム、前記検出器、および前記複数のバルブが、第一ユニット内の冷却部に収納されるとともに、前記送液ポンプ、前記検出器、および前記複数のバルブをそれぞれ構成する機械関係部品と電気関係部品の内、当該電気関係部品が前記第一ユニット内の非冷却部に収納されていることを特徴とする。そして、この様な構成により、試料を前記各装置に送液する際に、試料が接する部分を冷却することができるものである。
また、本発明に係る液体クロマトグラフ装置は、分離カラム、当該分離カラムへ溶離液を送液する送液ポンプ、前記分離カラムからの溶出成分を検出する検出器、および前記送液ポンプから前記分離カラムを経て前記検出器に至る流路の制御を行う複数のバルブを備える液体クロマトグラフ装置であって、前記送液ポンプ、前記検出器、および前記複数のバルブの夫々の少なくとも一部分、および、前記分離カラムが、第一ユニット内の冷却部に収納されるとともに、前記送液ポンプ、前記検出器、および前記複数のバルブにおける通電を要する部分の少なくとも一部が前記第一ユニット内の非冷却部に収納されていることを特徴とする。そして、この様な構成により、試料を前記各装置に送液する際に、試料が接する部分を冷却することができるものである。
ここで、電気関係部品とは、電気回路、基板、電源、モーター、コネクターなどのような通電を要する部品（通電を要する部分）のことであり、機械関係部品とは、電気関係部品以外の部品をいう。また、検出器については、検出器を構成する光源、レンズ、セル、および受光部の内、光源、レンズ、および受光部は電気関係部品に含まれ、セルのみ機械関係部品に含める。
本発明において、通電を要する部分（電気関係部品）のすべてが非冷却部に収納されている必要はなく、通電を要する部分の内、一部分のみが非冷却部に収納されていてもよい。さらに、本発明において、機械関係部品のすべてが冷却部に収納されている必要はなく、機械関係部品の内、一部分のみが冷却部に収納されていてもよい。
さらに、検出器において、受光部に至る光学系を、検出器の設計上の都合、または、検出感度の向上を図る目的等のため、セルの近傍に配置する場合には、これらの全部または一部を機械関係部品に含め、冷却部に配置することも可能である。例えば、光源とセルを光ファイバで連絡する構成であれば、光ファイバのセル側端に配置する、射出光を平行光化するためのレンズ、及び、セルの通過光を受光する受光部を、機械関係部品として冷却部内のセル近傍に配置することで、検出器の設計上の制約を満たしつつ、検出感度の向上を図る構成を例示できる。なお、セルが、例えば、フローセルである場合、セルへの光入射口とセルからの光射出口にレンズを組み込むことがあるが、この場合、これらのレンズはセルと一体となっていることから、これは機械関係部品に含める。
本発明では、電気関係部品を冷気から熱的に遮断することにより、電気関係部品の結露を防止し、電気系統の故障が発生しにくい液体クロマトグラフ装置を実現することができる。加えて、電気関係部品を冷気から熱的に遮断することにより、電気関係部品から発生する熱が冷却部に伝わらないようにすることができる。
なお、非冷却部にファンなどを設け、非冷却部に収納されるモータ等の電気関係部品から排出される排熱を循環させれば、電気関係部品における結露の可能性をさらに低減できる。
【０００５】
また、本発明に係る液体クロマトグラフ装置では、前記送液ポンプおよび前記複数のバルブが前記第一ユニット内の前記冷却部に設けられた取付けパネル上に配設されていてもよい。
本発明では、送液ポンプおよび複数のバルブを取付けパネル上に配設することにより、作業者が簡便に作業することができるコンパクトな液体クロマトグラフ装置を実現することができる。
また、本発明に係る液体クロマトグラフ装置では、前記取付けパネルにおいて、前記送液ポンプおよび前記複数のバルブが配設される領域の少なくとも一部が傾斜していることが好ましい。
本発明では、送液ポンプおよび複数のバルブが配設される領域の少なくとも一部を傾斜させることにより、第一ユニット内の冷却部という限られた空間内で、取付けパネルの面積を拡げることができる。加えて、取付けパネル面を傾斜させることにより、傾斜部に配設された各装置に冷風が当たりやすくなるという利点もある。また、このような傾斜をもたせることで、傾斜部に設置された前記各装置の入れ替え、修理等のメンテナンスが容易となる利点もある。
【０００６】
また、本発明に係る液体クロマトグラフ装置では、冷風を連通するための開口部を側面に有する前記第一ユニットと、冷風を連通するための開口部を側面に有し、且つ試料を保存するために内部を上下二段に仕切られた第二ユニットと、冷却装置とを備え、前記第一ユニットと前記第二ユニットと前記冷却装置は、お互いに着脱自在であってもよい。
本発明では、前記第一ユニットと、試料を保存するための第二ユニットと、冷却装置をそれぞれユニット化し、お互いに着脱自在とすることにより、試験ごとに最適な装置の組み合わせを選ぶことができる。
また、本発明に係る液体クロマトグラフ装置では、前記冷却装置に設けられた冷風吹出口から吹出した冷風が、前記第二ユニット内から、前記第一ユニット内の前記冷却部を経由して、前記第一ユニットおよび前記第二ユニットに設けられた冷風ダクトを経て、前記冷却装置に設けられた冷風戻り口に戻る冷風経路を有していてもよい。
本発明では、例えば、第二ユニット内の上部に冷却装置の冷風吹出口を設けることで、第二ユニット内の上部に載置される試料を常に低温に保持することができるとともに、第二ユニット内の下部に冷風を当てないことで、第二ユニット内の下部に載置される分画物の蒸発を防止することができる。また、逆に、第二ユニット内の下部に冷却装置の冷風吹出口を設けることで、第二ユニット内の下部に載置される試料を常に低温に保持することができるとともに、第二ユニット内の上部に冷風を当てないことで、第二ユニット内の上部に載置される分画物の蒸発を防止することができる。
【０００７】
また、本発明に係る液体クロマトグラフ装置では、前記第一ユニットおよび前記第二ユニットに設けられた、冷風を連通するための前記開口部の周囲に、パッキンが設けられていてもよい。
本発明では、開口部の周囲にパッキンを設けることにより、気密性を保持することができる。
【０００８】
また、本発明に係る液体クロマトグラフ装置では、前記第一ユニットに設けられた前記冷風ダクト内に、溶離液および／または試料中の溶存ガスを除去するための脱気チャンバを備えていてもよい。
本発明では、脱気チャンバと減圧ポンプからなる脱気装置の内、脱気チャンバを冷風ダクト内に設けることにより、余った冷熱で溶離液および／または試料を冷却することができる。
また、本発明に係る液体クロマトグラフ装置では、前記第二ユニットに設けられた前記冷風ダクト内に、前記第二ユニット内を冷却するためのヒートシンクを備えていてもよい。
本発明では、第二ユニット内に載置される分画物が蒸発するのを防ぐために、冷風を当てられない場合でも、第二ユニットの冷風ダクト内にヒートシンクを設けることにより、ヒートシンクを介して分画物を冷却することができる。
【０００９】
本発明に係る液体クロマトグラフ装置では、前記第一ユニットおよび前記第二ユニットに、それぞれ中空構造の第一扉が設けられていてもよい。
また、本発明に係る液体クロマトグラフ装置では、前記第一ユニットおよび前記第二ユニットに、それぞれ中空構造の第一扉が設けられるとともに、外気が当該第一扉の中空部へ流れ込むのを防止する逆止弁が前記第一扉に備えられていてもよい。
本発明では、第一扉を中空構造とすることにより、扉の断熱性を高めることができる。
さらに、本発明では、逆止弁を第一扉に設けることにより、第一扉の中空部を外気より低圧状態に保ち、断熱効果を高めることができる。第一扉の材質としては特に限定されるものではないが、外部から前記各装置の状況を観察できるように、透明性の素材で構成することが好ましく、例えば、アクリル樹脂などが挙げられる。
また、本発明に係る液体クロマトグラフ装置では、前記第一扉の中空部を構成する一方の面材上に、当該中空部を補強するためのリブが配設されるとともに、当該リブと他方の面材との間に間隙が設けられていてもよい。
本発明では、第一扉の中空部をリブ補強することにより、第一扉が大気圧によって変形するのを防止することができる。加えて、リブと他方の面材との間に間隙を設けることにより、リブがヒートブリッジとなるのを防止することができる。
また、本発明に係る液体クロマトグラフ装置では、前記第一扉の中空部に乾燥剤が封入されていてもよい。
本発明では、第一扉の中空部に乾燥剤が封入されているので、中空部内の結露を防止することができる。
また、本発明に係る液体クロマトグラフ装置では、前記第二ユニットに設けられた前記第一扉の内側に、冷気を保持するための第二扉が前記第二ユニット内の上部と下部にそれぞれ設けられていてもよい。
本発明では、第二ユニット内の上部で作業を行う場合、第二ユニット内の下部に第二扉があるため、第二ユニット内の下部の冷気を保持することができる。逆に、第二ユニット内の下部で作業を行う場合、第二ユニット内の上部に第二扉があるため、第二ユニット内の上部の冷気を保持することができる。
【発明の効果】
【００１０】
本発明によれば、電気系統の故障が発生しにくく、作業者が簡便に作業することができるコンパクトで、生体高分子のような極めて熱に弱く不安定な物質を分離精製することができる液体クロマトグラフ装置を実現することができる。
【発明を実施するための最良の形態】
【００１１】
以下、本発明に係る液体クロマトグラフ装置の実施形態について、図面に基いて説明する。
図１は第一ユニットの側断面を、図２は第一ユニットの立断面を示したものである。
図１に示すように、第一ユニット２内は、仕切板７と仕切板７背面の断熱材９によって、第一ユニット２内の冷却部５と第一ユニット２後部の非冷却部６に区画されている。仕切板７の前方の冷却部５内には、上部が仕切板７に向けて傾斜した取付けパネル２８が設置されている。図２に示すように、取付けパネル２８前面の鉛直部には、送液ポンプ１２、１２が、取付けパネル２８の傾斜部８前面には、ブランチブロック１３、二方向バルブ１４、ダンパー１５、ミキサー１６、インジェクションバルブ１７、および六方向バルブ１８、２２がそれぞれ配設されている。また、冷却部５内には、取付けパネル２８の上方に、六方向バルブ２０、２７と検出器２１が設置され、取付けパネル２８の側方に、分離カラム１９と簡易フラクションコレクタ２３が設置されている。
本実施形態では、送液ポンプ１２、１２、ブランチブロック１３、二方向バルブ１４、ダンパー１５、ミキサー１６、インジェクションバルブ１７、および六方向バルブ１８、２２を取付けパネル２８上に配設することにより、作業者は簡便に作業することができる。また、本実施形態では、取付けパネル２８の上部に傾斜部８を設けることにより、第一ユニット２内の冷却部５という限られた空間内で、取付けパネル２８の面積を拡げることができる。加えて、取付けパネル２８の上部に傾斜部８を設けることにより、傾斜部８に配設された各装置に冷風が当たりやすくなるという利点もある。また、このような傾斜をもたせることで、傾斜部８に設置された前記各装置の入れ替え、修理等のメンテナンスが容易となる利点もある。
【００１２】
送液ポンプ１２、１２、二方向バルブ１４、ダンパー１５、ミキサー１６、インジェクションバルブ１７、および六方向バルブ１８、２０、２２、２７を構成する電気回路、基板、電源などの電気関係部品２９は、第一ユニット２後部の非冷却部６に収納されている。また、検出器２１の光源、レンズ、および受光部も第一ユニット２後部の非冷却部６に収納されている。そのため、電気関係部品２９の結露が防止され、電気系統の故障が発生しにくくなる。加えて、電気関係部品２９を冷気から熱的に遮断することにより、電気関係部品２９から発生する熱が冷却部５に伝わらないようにすることができる。
【００１３】
第一ユニット２外面の上部前面には、操作パネル２６が取付けられており、パラメータの設定およびモニタリングを行うことができる。一方、第一ユニット２の最下部は、冷風ダクト３３となっており、第一ユニット２内の冷却部５と最下部の冷風ダクト３３との間には、複数の通気孔３９ａを有する底板３９が設けられている（図５参照）。また、冷風ダクト３３内には、溶離液および／または試料中の溶存ガスを除去するための脱気チャンバ１０、１０が設置されている。
本実施形態では、冷風ダクト３３内に脱気チャンバ１０、１０を設けることにより、余った冷熱で溶離液および／または試料を冷却することができる。
【００１４】
次に、液体クロマトグラフ装置の作用について、図３の液体クロマトグラフ装置の流路図を参照しつつ説明する。
先ず、溶離液２５、２５…が、送液ポンプ１２、１２に吸引されて、脱気チャンバ１０、１０および取付けパネル２８の側面に設置された三方弁１１を通過する。その際、溶離液２５、２５…中の溶存ガスが、脱気チャンバ１０、１０によって除去されるとともに、溶離液２５、２５…は、脱気チャンバ１０、１０通過の際に冷却される。その後、溶離液２５、２５…は、送液ポンプ１２、１２によって、ブランチブロック１３および二方向バルブ１４を経由して、ダンパー１５で溶離液２５、２５…の脈動が減衰された後、ミキサー１６で混合されて、インジェクションバルブ１７に送液される。
一方、試料２４、２４は、脱気チャンバ１０、１０によって試料２４、２４中の溶存ガスが除去されるとともに、脱気チャンバ１０、１０通過の際に冷却された後、インジェクションバルブ１７に送られる。
インジェクションバルブ１７では、溶離液２５、２５…中に試料２４、２４が添加され、六方向バルブ１８を経由して、分離カラム１９に注入される。そして、分離カラム１９内で、試料２４、２４が各成分に分離された後、六方向バルブ２０を経由し、検出器２１において当該各成分が検出される。その後、当該各成分は、六方向バルブ２２を経由して、簡易フラクションコレクタ２３に送られる。
なお、試料２４、２４と溶離液２５、２５…は、第一ユニット２のコンパクト化を図るために、第一ユニット２の外に設置されているが、試料２４、２４と溶離液２５、２５…は共に、脱気チャンバ１０、１０内を通過する間に十分冷却される。
【００１５】
図４は、第一ユニットと第二ユニットと冷却装置からなる液体クロマトグラフ装置の実施形態の一例を示す立断面図であり、図５は、その平断面図である。
図４に示すように、本実施形態による液体クロマトグラフ装置１は、第一ユニット２と第二ユニット３と冷却装置４が連結されたものであり、第一ユニット２と第二ユニット３と冷却装置４は、お互いに着脱自在となっている。
本実施形態による液体クロマトグラフ装置１では、第一ユニット２と、第二ユニット３と、冷却装置４をそれぞれユニット化し、お互いに着脱自在とすることにより、試験ごとに最適な装置の組み合わせを選ぶことができる。
第二ユニット３は、分析前後の試料を保存するためのユニットであって、内部が仕切部３６によって上部３１と下部３４に区画されている。第二ユニット３の上部３１は試料３１ａ設置場所として、下部３４は分画物３４ａ設置場所としてそれぞれ利用される。
第二ユニット３の最下部は冷風ダクト３３となっており、余った冷熱で第二ユニット３内の下部３４を冷却するためのヒートシンク３７が設置されている。
第一ユニット２と第二ユニット３との連結部には、冷風が連通するように開口部（図示省略）が設けられている。一方、第二ユニット３と冷却装置４との連結部には、第二ユニット３内の上部３１側面に、冷却装置４の冷風吹出口３０のための開口部が設けられるとともに、第二ユニット３最下部の冷風ダクト３３の一端が、冷却装置４の冷風戻り口３５に繋がっている。また、第一ユニット２と第二ユニット３の連結部および第二ユニット３と冷却装置４との連結部に設けられた開口部の周囲には、それぞれパッキンが貼着されており、連結部に隙間が生じないようになっている。
【００１６】
図５に示すように、第一ユニット２と第二ユニット３には、断熱性を高めるために、中空構造の第一扉４０がそれぞれ設けられている。第一扉４０の中空部には、外気が第一扉４０の中空部へ流れ込むのを防止するための逆止弁４１が取付けられている。これにより、第一扉４０の中空部を外気より低圧状態に保ち、断熱効果を高めることができる。
また、第一扉４０の中空部には乾燥剤３８が封入されており、中空部内の結露を防止している。
加えて、第二ユニット３では、第一扉４０の内側に、第二扉４２が上部３１と下部３４にそれぞれ設けられている。
【００１７】
次に、第一ユニット２および第二ユニット３の内部における冷風経路について、図４および図５を参照しつつ説明する。
冷風吹出口３０から吹出した冷却装置４からの冷風は、第二ユニット３内の上部３１から、第一ユニット２内の冷却部３２に流れ込む。その後、第一ユニット２内の冷却部３２に流れ込んだ冷風は、冷却部３２の底板３９に設けられた複数の通気孔３９ａから、第一ユニット２の最下部に設けられた冷風ダクト３３に流れ込む。そして、第一ユニット２の最下部に設けられた冷風ダクト３３に流れ込んだ冷風は、第二ユニット３の最下部に設けられた冷風ダクト３３を通過して、冷風戻り口３５より冷却装置４に戻る、図４の矢印で示した経路をとる。
本実施形態による液体クロマトグラフ装置１では、第二ユニット３内の上部３１側面に冷却装置４の冷風吹出口３０を設けることで、第二ユニット３の上部３１に載置される試料３１ａを常に低温に保持することができるとともに、第二ユニット３内の下部３４に冷風を当てないことで、第二ユニット３内の下部３４に載置される分画物３４ａの蒸発を防止することができる。
なお、本実施形態では、第二ユニット３最下部の冷風ダクト３３内に設けたヒートシンク３７を介して分画物３４ａを冷却することができる。
【００１８】
第一ユニット２および第二ユニット３の外表面と、第一ユニット２内の冷却部３２の内表面と、第二ユニット３内の上部３１および下部３４の内表面は、樹脂被覆されている。
これにより、第一ユニット２および第二ユニット３の外表面の結露を防止するとともに、第一ユニット２内の冷却部３２および第二ユニット３内の上部３１および下部３４の内表面から冷熱が逃げるのを防止することができる。
【００１９】
図６は、第二ユニット３内の上部３１側面に設けられた、冷却装置４の冷風吹出口３０のための開口部の断面詳細を示したものである。第二ユニット３内の上部３１側面に設けられた開口部の周囲には、空気封入パッキン５０が取付けられている。図示していないが、冷風戻り口３５の周囲および第一ユニットと第二ユニットの冷風ダクト３３の連結部も同様のシール構造となっている。これにより、ユニット連結部のシールを確実に行えるとともに、周囲へ冷熱が伝達するのを防止することができる。
【００２０】
図７は、第一扉４０の断面詳細を示したものである。
第一扉４０の内側全周には、マグネット付パッキン４４が取付けられており、シールを第一扉４０の内側全周で確実に行うことができる。さらに、マグネット付パッキン４４の内側には第二パッキン４５が取付けられており、二重シール構造とすることで、断熱効果を高めている。
また、第一扉４０の中空部は、第一扉４０を構成する外側の面材４７と内側の面材４８との間にリブ４６を配設した構造となっており、第一扉４０が大気圧によって変形するのを防止している。この際、リブ４６は、外側の面材４７にのみ接合され、リブ４６と内側の面材４８との間には間隙４３が設けられ、リブ４６がヒートブリッジとなるのを防止している。
【００２１】
以上、本発明に係る液体クロマトグラフ装置の実施形態について説明したが、本発明は上記の実施形態に限定されるものではなく、その趣旨を逸脱しない範囲で適宜変更可能である。例えば、上記の実施形態では、第一ユニット２と第二ユニット３と冷却装置４を連結しているが、本発明では、第一ユニット２と冷却装置４のみ連結してもよいし、冷却を必要としない場合は、冷却装置４のみ取外してもよい。
また、上記の実施形態では、第一ユニット２に設置した試料２４を使用するとともに、分離された各成分は、第一ユニット２内の簡易フラクションコレクタ２３に送るようにしているが、本発明では、第二ユニット３内の上部３１に載置した試料３１ａを分離カラム１９に注入するとともに、第二ユニット３内の下部３４にフラクションコレクタを載置し、当該フラクションコレクタに分離された各成分を送ってもよい。
【図面の簡単な説明】
【００２２】
【図１】第一ユニットの側断面図である。
【図２】第一ユニットの立断面図である。
【図３】液体クロマトグラフ装置の流路図である。
【図４】第一ユニットと第二ユニットと冷却装置からなる液体クロマトグラフ装置の実施形態の一例を示す立断面図である。
【図５】第一ユニットと第二ユニットと冷却装置からなる液体クロマトグラフ装置の実施形態の一例を示す平断面図である。
【図６】第二ユニット内の上部側面に設けられた開口部の断面詳細図である。
【図７】第一扉の断面詳細図である。
【符号の説明】
【００２３】
１  液体クロマトグラフ装置
２  第一ユニット
３  第二ユニット
４  冷却装置
５、３２  冷却部
６  非冷却部
７  仕切板
８  取付けパネルの傾斜部
９  断熱材
１０  脱気チャンバ
１１  三方弁
１２  送液ポンプ
１３  ブランチブロック
１４  二方向バルブ
１５  ダンパー
１６  ミキサー
１７  インジェクションバルブ
１８、２０、２２、２７  六方向バルブ
１９  分離カラム
２１  検出器
２３  簡易フラクションコレクタ
２４  試料
２５  溶離液
２６  操作パネル
２８  取付けパネル
２９  電気関係部品（通電を要する部分）
３０  冷風吹出口
３１  上部
３３  冷風ダクト
３４  下部
３５  冷風戻り口
３６  仕切部
３７  ヒートシンク
３８  乾燥剤
３９  底板
４０  第一扉
４１  逆止弁
４２  第二扉
４４  マグネット付パッキン
４５  第二パッキン
４６  リブ
４７、４８  面材
５０  空気封入パッキン
【図１】
2005106813.tif 000003
【図２】
2005106813.tif 000004
【図３】
2005106813.tif 000005
【図４】
2005106813.tif 000006
【図５】
2005106813.tif 000007
【図６】
2005106813.tif 000008
【図７】
2005106813.tif 000009